(57)【要約】【課題】一方向に可撓性を有する放射線検出装置を提供する。【解決手段】基板４０上に形成され、被写体を透過した放射線を検出して信号電荷に変換する行列上配置の画素５０に信号電極の一方が接続され、他方の信号電極に信号線６６が接続され、ゲート電極にゲート線６４が接続されたＴＦＴのアレイを有し、可撓性を有する長さ方向ｙに沿って細線であるゲート線６４を配列し、可撓性を有しない剛性を有する幅方向ｘに沿って太線である信号線６６を配列する。このように構成される放射線検出装置１１は、長さ方向ｙに可撓性を有し、幅方向ｘに剛性を有する。【選択図】図５
2010078551.tif 000002
【特許請求の範囲】
【請求項１】
基板上に行列状に形成され、一方の信号電極に信号線が接続され、ゲート電極にゲート線が接続されるスイッチング素子のアレイと、
前記各スイッチング素子の他方の信号電極上にそれぞれ形成され、被写体を透過した放射線を検出して信号電荷に変換する画素と、
を備え、
行方向又は列方向に可撓性を有する放射線検出装置であって、
前記可撓性を有する方向に沿って前記ゲート線が配列され、前記可撓性を有しない剛性を有する方向に沿って前記信号線が配列される
ことを特徴とする放射線検出装置。
【請求項２】
請求項１記載の放射線検出装置において、
前記可撓性を有する方向の端部側に回路部品を配置するための剛性部が設けられ、
前記剛性部には、前記回路部品として、
前記信号線を通じて供給される前記信号電荷をデジタル信号に変換するＡ／Ｄ変換器と、
前記デジタル信号を格納する画像メモリと、
前記画像メモリから読み出されたデジタル信号を無線信号として送出する送受信機又は当該放射線検出装置全体に電気を供給するバッテリの少なくとも一方と、が配置される
ことを特徴とする放射線検出装置。
【発明の詳細な説明】
【技術分野】
【０００１】
この発明は、被写体を透過した放射線を検出し、検出した前記放射線を放射線画像情報を持つ信号電荷に変換する放射線検出装置に関する。
【背景技術】
【０００２】
医療分野において、被写体に放射線を照射し、該被写体を透過した前記放射線を放射線検出器に導いて放射線画像情報を撮影する放射線画像撮影システムが広汎に使用されている。前記放射線検出器としては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。これらの放射線検出器は、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術室等においては、患者に対して迅速且つ的確な処置を施すため、撮影後の放射線検出器から直ちに放射線画像情報を読み出して表示できることが必要である。このような要求に対応可能な放射線検出器として、放射線を直接電気信号に変換し、あるいは、放射線をシンチレータで可視光に変換した後、電気信号に変換して読み出す固体検出素子を用いた放射線検出器が開発されている。
【０００４】
特許文献１には、患者の表面形状に整合させることが可能な可撓性を有する放射線検出器が提案されている。この可撓性を有する放射線検出器は、ＴＦＴマトリクスを備えた可撓性の基板と、Ｘ線変換のための可撓性の半導体層、又は可撓性のシンチレータを備えた可撓性の薄膜ホトダイオードのマトリクスを備えている。そして、さらに、特許文献１には、可撓性を有する方向の端部には剛性のホルダが設けられ、この剛性のホルダには読出増幅器が配置され、検出基板上に配置された読出線に接続されていると記載されている。
【０００５】
この特許文献１に係る放射線検出器では、読み出し線が可撓性を有する方向に沿って配列されてしまう可能性がある。
【０００６】
しかしながら、読出線、換言すれば信号線は、インピーダンスを低くしたいのでなるべく太く厚く形成したいことから、信号線が可撓性を有する方向に沿って配列されていると可撓性が阻害されるという問題がある。
【０００７】
特許文献２には、放射線の変換素子とＴＦＴとを有する画素が２次元マトリクス状に複数配置されて構成されたフラットパネル検出器（ＦＰＤ）において、その信号線を列方向に形成する一方、ＴＦＴの駆動線であるゲート線を行方向に形成した放射線検出装置が記載されている。
【０００８】
【特許文献１】特開２００３−７０７７６号公報
【特許文献２】特開２００７−４９１２４号公報
【発明の開示】
【発明が解決しようとする課題】
【０００９】
しかしながら、特許文献２に係るプラットパネル検出器は、可撓性がないため、可撓性を考慮した信号線とゲート線の配列方向については何も示唆されていない。
【００１０】
この発明は、このような課題を考慮してなされたものであり、一方向に可撓性を有する放射線検出装置の前記可撓性に配慮した好ましい配線構成を有する放射線検出装置を提供することを目的とする。
【課題を解決するための手段】
【００１１】
この発明に係る放射線検出器は、基板上に行列状に形成され、一方の信号電極に信号線が接続され、ゲート電極にゲート線が接続されるスイッチング素子のアレイと、前記各スイッチング素子の他方の信号電極上にそれぞれ形成され、被写体を透過した放射線を検出して信号電荷に変換する画素と、を備え、行方向又は列方向に可撓性を有する放射線検出装置であって、前記可撓性を有する方向に沿って前記ゲート線が配列され、前記可撓性を有しない剛性を有する方向に沿って前記信号線が配列される構成とされる。
【００１２】
この場合、前記可撓性を有する方向の端部側に回路部品を配置するための剛性部が設けられ、前記剛性部には、前記回路部品として、前記信号線を通じて供給される前記信号電荷をデジタル信号に変換するＡ／Ｄ変換器と、前記デジタル信号を格納する画像メモリと、前記画像メモリから読み出されたデジタル信号を無線信号として送出する送受信機又は当該放射線検出装置全体に電気を供給するバッテリの少なくとも一方と、が配置されることが好ましい。
【発明の効果】
【００１３】
この発明によれば、可撓性を有する方向に沿って配列されたゲート線には、デジタル信号が流れることから、ゲート線は細い線でよく、可撓性を損ねない。また、剛性を有する方向に沿って配列された信号線には、アナログ信号の信号電荷が流れることから、アナログ信号に歪を与えないために信号線を幅広で厚くできる。すなわち、基板の可撓性を損ねない一方向に可撓性を有する放射線検出装置の前記可撓性に配慮した好ましい配線構成を有する放射線検出装置を提供することができる。
【００１４】
また、上記放射線検出装置の前記可撓性を有する方向の端部側に設けた剛性部に回路部品（前記信号線を通じて供給される前記信号電荷をデジタル信号に変換するＡ／Ｄ変換器と、前記デジタル信号を格納する画像メモリと、前記画像メモリから読み出されたデジタル信号を無線信号として送出する送受信機と、当該放射線検出装置全体に電気を供給するバッテリ）を配置することで、一方向に可撓性を有し携帯可能でバッテリ駆動できる無線式の放射線検出装置を提供することができる。
【００１５】
さらに、上記放射線検出装置の前記可撓性を有する方向の端部側に設けた剛性部に回路部品（前記信号線を通じて供給される前記信号電荷をデジタル信号に変換するＡ／Ｄ変換器と、前記デジタル信号を格納する画像メモリと、当該放射線検出装置全体に電気を供給するバッテリ）を配置することで、一方向に可撓性を有し携帯可能でバッテリ駆動できる放射線検出装置を提供することができる。
【００１６】
さらにまた、上記放射線検出装置の前記可撓性を有する方向の端部側に設けた剛性部に回路部品（前記信号線を通じて供給される前記信号電荷をデジタル信号に変換するＡ／Ｄ変換器と、前記デジタル信号を格納する画像メモリと、前記画像メモリから読み出されたデジタル信号を無線信号として送出する送受信機）を配置することで、一方向に可撓性を有し携帯可能で外部電源により動作可能なより軽量の無線式放射線検出装置を提供することができる。
【発明を実施するための最良の形態】
【００１７】
図１は、この実施形態に係る無線式の放射線検出装置１１が適用された放射線画像撮影システム１２の構成ブロック図である。
【００１８】
放射線画像撮影システム１２は、例えば、手術室内等に配置され、基本的には、撮影条件に従った線量からなる放射線Ｒを患者等の被写体１４に照射するための放射線源１６と、被写体１４を透過した放射線Ｒを検出する放射線検出装置１１と、放射線検出装置１１によって検出された放射線Ｒに基づく放射線画像情報を表示する表示装置１８と、放射線検出装置１１、放射線源１６及び表示装置１８を制御するコンソール（制御装置）２０とを備える。
【００１９】
コンソール２０と、放射線検出装置１１、放射線源１６及び表示装置１８との間は、無線通信による信号の送受信が行われる。
【００２０】
なお、コンソール２０には、病院内の放射線科において取り扱われる放射線画像情報やその他の情報を統括的に管理する放射線科情報システム（ＲＩＳ）２２が院内通信網を介して接続され、ＲＩＳ２２には、病院内の医事情報を統括的に管理する医事情報システム（ＨＩＳ）２４が前記院内通信網を介して接続される。
【００２１】
放射線検出装置１１は、寝台２６、例えば、手術台上に配されたマットレス２８と被写体１４との間に介装される。放射線検出装置１１は、長さ方向ｙに可撓性を有しているので、マットレス２８上で被写体１４の自重により被写体１４の表面形状に沿って湾曲する。このように、放射線検出装置１１は、柔軟性があるので、被写体１４に痛みを与えることなく、寝台撮影に適している。
【００２２】
図２に示すように、放射線検出装置１１は、主面が四角形状とされ、この四角形の大きさの可撓性（柔軟性）を有する樹脂製の基板４０を含めて構成される長さ方向ｙの中央部の薄くて可撓性（柔軟性）のある可撓部３０と、長さ方向ｙの両辺部（両端部）の厚くて剛性のある剛性部３２、３４とが設けられた構成とされている。剛性部３２、３４は、硬質の樹脂により形成される。
【００２３】
中空でないソリッドの一方の剛性部３２には、開口により把手３３が設けられている。他方の剛性部３４は、後述する制御回路部６２の回路部品が実装される中空部を有する角筒状の構造とされ、角筒の長さ方向両端の開口は蓋３６により閉じられ、剛性部３４の中空部は密封状態にされている。剛性部３４の基板４０と接している面の大部分は開口３７とされ、この開口３７を通じて前記中空部内に、前記回路部品が実装される。
【００２４】
このように、放射線検出装置１１は、可撓性を有する長さ方向ｙの両辺部に剛性部３２、３４が設けられているので、長さ方向（可撓性方向ともいう。）ｙに可撓性を有し、この長さ方向ｙに直交する幅方向（剛性方向）ｘに剛性を有する。
【００２５】
図３は、図２のＩＩＩ−ＩＩＩ線一部省略断面図を示している。図３から分かるように、剛性部３２と、図３では図示していない剛性部３４との上に厚みのあるシート状の放射線検出回路部１０が架け渡された構成とされている。
【００２６】
放射線検出回路部１０は、放射線検出装置１１の全面の大きさに対応する大きさの基板４０を有し、基板４０の裏面側の両端部（対向する両辺部）に剛性部３２、３４が取り付けられ、基板４０の表面側に、被写体１４（図１参照）を透過した放射線Ｒを可視光に変換するシンチレータ５２と、行列状に形成され一方の信号電極に信号線６６（図６参照）が接続されゲート電極にゲート線６４（図６参照）が接続される薄膜トランジスタ（ＴＦＴ：Ｔｈｉｎ  Ｆｉｌｍ  Ｔｒａｎｓｉｓｔｏｒ）６８（図６参照）のアレイを含み放射線Ｒ及び可視光を透過可能なＴＦＴ層４８と、前記ＴＦＴ６８（図６参照）の他方の信号電極上にそれぞれ形成されアモルファスシリコン（ａ−Ｓｉ）等の物質からなる固体検出素子（以下、画素という。）５０（図６参照）を用いて前記可視光を信号電荷である電気信号に変換する光電変換層４６と、被写体１４による放射線Ｒの散乱線を除去するグリッド４２と、樹脂製の保護膜層４１と、が順に設けられる。保護膜層４１側から放射線Ｒが照射され、シンチレータ５２によって放射線Ｒが変換された前記可視光が前記画素５０により信号電荷（電気信号）に変換され当該画素５０に蓄積される。
【００２７】
なお、シンチレータ５２は、図４に示すように、グリッド４２と光電変換層４６との間に介装してもよい。
【００２８】
また、画素５０としては、ａ−Ｓｉに代替して、温度許容範囲はａ−Ｓｉより狭いがアモルファスセレン（ａ−Ｓｅ）等の物質からなる光電変換層を行列状のＴＦＴ６８のアレイ上に配置した構成に代替することができる。この場合、シンチレータ５２は不要である。
【００２９】
さらに、スイッチング素子として機能するＴＦＴ６８は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００３０】
図３において、放射線検出回路部１０の保護膜層４１の表面は放射線Ｒの照射面５６とされている。
【００３１】
基板４０は、放射線吸収率の高い材料、例えばタングステンの粉末を混合して構成することが好ましい。この構成により、より詳しく説明すると、タングステンの粉末が混合された基板４０が放射線検出装置１１の裏面側の全面をカバーする構成とすることにより、放射線検出装置１１からのバック散乱が防止されるとともに、剛性部３４の中空部内に配置される制御回路部６２（図２参照）に搭載される回路部品の放射線Ｒによる損傷が防止される。なお、剛性部３４の表面をカバーする鉛製の板を剛性部３４の表面に張り付けることにより制御回路部６２に搭載される回路部品の放射線Ｒによる損傷を一層防止することができる。
【００３２】
図５は、放射線検出装置１１の実体配線構成図を示している。
【００３３】
図６は、放射線検出装置１１の回路図を示している。なお、図６においては、剛性部３２、３４と可撓部３０の寸法縮尺を無視している。
【００３４】
図５、図６に示すように、剛性部３４の配置位置に制御回路部６２が配置され、可撓部３０の配置位置に放射線検出回路部１０が配置される。
【００３５】
放射線検出回路部１０には、上述したように、行列上に画素５０が配置され、さらに、各画素５０に信号電極の一方が接続され他方の信号電極が信号線６６の一端に接続されゲート電極にゲート線６４が接続されたＴＦＴ６８が配置されている。
【００３６】
放射線検出回路部１０に配置された各信号線６６の他端には、図６に示すように、それぞれ集積回路の積分増幅器８２とサンプルホールド回路８４とマルチプレクサ７６を構成するＦＥＴ（電界効果トランジスタ）スイッチ７８の一端が直列に接続され、ＦＥＴスイッチ７８の他端は、信号線８８を通じて、制御回路部６２に配置されたＡ／Ｄ変換器９０に接続される。
【００３７】
制御回路部６２には、前記のＡ／Ｄ変換器９０の他、放射線検出装置１１の電源であるバッテリ９２と、バッテリ９２から供給される電力により放射線検出回路部１０を駆動制御する制御部１００と、放射線検出回路部１０によって検出した放射線Ｒの情報を含む信号をコンソール２０との間で送受信する送受信機（無線通信手段）１０２と、放射線検出回路部１０の駆動回路１１０とが搭載される。
【００３８】
駆動回路１１０には、ＴＦＴ６８を列方向（長さ方向ｙ）毎に駆動（オン）するゲート駆動回路７０と、画素５０にバイアス線７２を通じてバイアス電圧を与えるバイアス回路７４と、マルチプレクサ７６を構成する各ＦＥＴスイッチ７８を行方向（幅方向ｘ）毎に順次駆動（オン）するマルチプレクサ駆動回路７９が設けられている。
【００３９】
制御部１００には、ゲート駆動回路７０及びマルチプレクサ駆動回路７９にアドレス信号を供給するアドレス信号発生回路９４と、Ａ／Ｄ変換器９０によりＡ／Ｄ変換された画素５０毎のデジタル信号を格納する画像メモリ９６と、当該放射線検出装置１１を特定するための識別符号である検出装置ＩＤ情報を格納するＩＤメモリ９８が設けられている。
【００４０】
上述したように、各画素５０では、可視光を電気信号に変換することにより発生した信号電荷が蓄積され、幅方向ｘの各列毎にＴＦＴ６８を順次オンにする一方、マルチプレクサ７６のＦＦＴスイッチ７８を各行毎に順次オンすることにより前記信号電荷を放射線画像情報（画像信号）として読み出すことができる。
【００４１】
ここで、可撓性を有する方向である長さ方向ｙに沿って配列されたゲート線６４には、デジタル信号が流れることから、ゲート線６４は細い線でよく、基板４０の長さ方向ｙの可撓性を損ねない。実際上、１本のバイアス線７２がゲート線６４に沿って平行に配列されるが、バイアス線７２にも殆ど電流が流れないことから細い線でよく、基板４０の可撓性を損ねない。また、ＦＥＴスイッチ７８のゲート電極に接続される制御線及び積分増幅器８２やサンプルホールド回路８４への電源供給線も長さ方向ｙに沿って配列されるが、ＦＥＴスイッチ７８は、マルチプレクサ７６であって、例えば、数個ずつのＩＣ構成とされており、配線数もその分少なく且つ細線であり、電源供給線は、本数が２〜３本と少ないので、それぞれ長さ方向ｙの可撓性を殆ど阻害しない。
【００４２】
一方、剛性を有する方向である幅方向ｘに沿って配列された信号線６６には、信号電荷のアナログ信号が流れることから、アナログ信号に歪を与えないために信号線６６は、幅広で厚く形成しているが、平行に且つ幅方向ｘに沿って配列しているので、基板４０の長さ方向ｙの可撓性を損ねることがない。そして、画素５０、積分増幅器８２、サンプルホールド回路８４、ＦＥＴスイッチ７８も各信号線６６に沿って略一直線上に配列しているので、可撓性を損ねることがない。なお、Ａ／Ｄ変換器９０に接続される信号線８８は、可撓性を有する方向である長さ方向ｙに沿って配列しているが、１本であるので可撓性を殆ど損ねることがない。
【００４３】
ゲート線６４及び信号線６６の本数は、一例として、それぞれ数千本程度である。
【００４４】
制御部１００に接続される送受信機１０２は、ＩＤメモリ９８に記憶された検出装置ＩＤ情報及び画像メモリ９６に記憶された放射線画像情報をまとめて無線通信によりコンソール２０に送信する。
【００４５】
この実施形態に係る放射線検出装置１１を適用した放射線画像撮影システム１２は、以上のように構成されるものであり、次にその動作について説明する。
【００４６】
放射線画像撮影システム１２は、手術室等に設置され、例えば、医師による被写体１４（患者）の施術中において、放射線画像の撮影が必要となった際に使用される。そのため、撮影対象である被写体１４の患者情報は、撮影に先立ち、コンソール２０に予め登録される。撮影部位や撮影方法が予め決まっている場合には、これらの撮影条件も予めコンソール２０に登録しておく。以上の準備作業が終了した状態において、被写体１４に対する施術が遂行される。
【００４７】
施術中において放射線画像の撮影を行う場合、医師又は担当する放射線技師は、被写体１４と寝台２６上のマットレス２８との間の所定位置に、放射線検出装置１１の照射面５６（図３、図４参照）を放射線源１６側とした状態で放射線検出装置１１を設置する。
【００４８】
次いで、放射線源１６を放射線検出回路部１０に対向する位置に移動させた後、図示しない撮影スイッチを操作して撮影を行う。
【００４９】
この場合、放射線源１６は、コンソール２０より当該被写体１４の撮影部位に係る撮影条件を無線通信により取得し、取得した撮影条件に従って放射線源１６内の線量調整部を制御することにより、所定の線量からなる放射線Ｒを被写体１４に照射する。
【００５０】
被写体１４を透過した放射線Ｒは、放射線検出回路部１０に照射され、放射線検出回路部１０のグリッド４２によって散乱線が除去された後、放射線検出回路部１０を構成する各画素５０によって電気信号に変換され、電荷（信号電荷）として保持される。次いで、各画素５０に保持された被写体１４の放射線画像情報である信号電荷は、制御部１００を構成するアドレス信号発生回路９４からゲート駆動回路７０及び及びマルチプレクサ駆動回路７９に供給されるアドレス信号に従って読み出される。
【００５１】
すなわち、ゲート駆動回路７０は、アドレス信号発生回路９４から供給されるアドレス信号に従って選択信号を出力して対応するゲート線６４を選択し、該ゲート線６４に接続されたＴＦＴ６８のゲート電極にオン信号を供給する。一方、マルチプレクサ駆動回路７９は、アドレス信号発生回路９４から供給されるアドレス信号に従って選択信号を出力してマルチプレクサ７６を構成するＦＥＴスイッチ７８を順次切り替え、ゲート駆動回路７０によって選択されたゲート線６４に接続された各画素５０に保持された放射線画像情報としての信号電荷を信号線６６を介して順次読み出す。
【００５２】
各画素５０から読み出された放射線画像情報としての信号電荷は、各積分増幅器８２によって増幅された後、各サンプルホールド回路８４によってサンプリングされ、マルチプレクサ７６（ＦＥＴスイッチ７８）を介してＡ／Ｄ変換器９０に供給され、Ａ／Ｄ変換器９０によりデジタル信号に変換される。デジタル信号に変換された放射線画像情報は、制御部１００の画像メモリ９６に一旦記憶される。
【００５３】
同様にして、ゲート駆動回路７０は、アドレス信号発生回路９４から供給されるアドレス信号に従ってＴＦＴ６８を順次切り替え、各画素５０に保持された電荷情報である放射線画像情報としての信号電荷を信号線６６を介して読み出し、マルチプレクサ７６及びＡ／Ｄ変換器９０を介して制御部１００の画像メモリ９６に記憶させる。
【００５４】
画像メモリ９６に記憶された放射線画像情報は、送受信機１０２を介して無線通信によりコンソール２０に送信される。コンソール２０に送信された放射線画像情報は、当該コンソール２０の図示しない送受信機によって受信され、図示しない画像処理部において所定の画像処理が施された後、コンソール２０に登録されている被写体１４の患者情報と関連付けられた状態でコンソール２０の画像メモリに記憶される。
【００５５】
コンソール２０内で所定の画像処理の施された放射線画像情報は、コンソール２０から表示装置１８に送信され、放射線画像情報を受信した表示装置１８は、放射線画像を表示する。
【００５６】
図示しない医師は、表示装置１８に表示された放射線画像を確認しながら施術を遂行する。
【００５７】
この場合、放射線画像撮影システム１２では、放射線検出装置１１とコンソール２０との間、放射線源１６とコンソール２０との間、及び、コンソール２０と表示装置１８との間には、信号を送受信するためのケーブルが連結されていないため、例えば、手術室等の床面にこれらのケーブルが配設されることがなく、医師等の作業に支障を来すおそれがない。
【００５８】
以上説明したように上述した実施形態に係る放射線検出装置１１は、基板４０上に行列状に形成され、一方の信号電極に信号線６６が接続され、ゲート電極にゲート線６４が接続されるＴＦＴ６８のアレイと、前記各ＴＦＴ６８の他方の信号電極上にそれぞれ形成され、被写体１４を透過した放射線Ｒを検出して信号電荷に変換する画素５０と、を備え、長さ方向ｙ（この実施形態では列方向）に可撓性を有する放射線検出装置１１であって、前記可撓性を有する方向である長さ方向ｙに沿ってゲート線６４が配列され、前記可撓性を有しない剛性を有する方向である幅方向ｘに沿って信号線６６が配列される構成とされる。
【００５９】
このように構成される放射線検出装置１１によれば、可撓性を有する長さ方向ｙに沿って配列されたゲート線６４には、デジタル信号が流れることから、ゲート線６４は細い線で形成しているので、長さ方向ｙの可撓性を損ねない。また、剛性を有する幅方向ｘに沿って配列された信号線６６には、アナログ信号の信号電荷が流れることから、アナログ信号に歪を与えないために信号線６６を幅広で厚く、換言すれば低インピーダンスになるように形成しているが、該信号線６６は、剛性を有する方向（この実施形態では、幅方向ｘ）に沿って形成しているので、長さ方向ｙの可撓性を損ねることがない。よって、可撓性に配慮した好ましい配線構成を有する放射線検出装置１１を提供することができる。
【００６０】
この場合、可撓性を有する長さ方向ｙの端部側に制御回路部６２の回路部品を配置するための剛性部３４を設け、この剛性部３４には、前記回路部品として、信号線６６を通じて供給される放射線画像情報である信号電荷をデジタル信号に変換するＡ／Ｄ変換器９０と、前記デジタル信号を格納する画像メモリ９６と、画像メモリ９６から読み出されたデジタル信号の放射線画像情報を無線信号として送出する送受信機１０２と、当該放射線検出装置１１全体に電気を供給するバッテリ９２と、を配置している。これにより一方向である長さ方向ｙに可撓性を有する携帯可能な無線式の放射線検出装置１１を提供することができる。ただし、剛性部３４に配置する回路部品として、送受信機１０２及びバッテリ９２の両方を配置するのではなく、送受信機１０２（無線式ではなく、有線式になる。）又はバッテリ９２の少なくとも一方を配置するように構成を変更してもよい。例えば、バッテリ９２の方を配置することで、一方向に可撓性を有し携帯可能でバッテリ駆動できる放射線検出装置を提供することができる。送受信機１０２の方を配置することで、一方向に可撓性を有し携帯可能で外部電源により動作可能なより軽量の無線式の放射線検出装置を提供することができる。
【００６１】
なお、この発明は、上述した実施形態に限定されるものではなく、この発明の主旨を逸脱しない範囲で自由に変更できることは勿論である。
【００６２】
例えば、上記実施形態では、放射線画像撮影システム１２を施術中に使用して放射線画像を表示装置１８で表示するものとしたが、当該放射線画像撮影システム１２は施術中以外において通常の放射線画像の撮影のみを行う場合にも適用可能であることは言うまでもない。例えば、検診や病院内での回診にも適用することができる。
【００６３】
放射線検出装置１１は、手術室等で使用されるとき、血液やその他の雑菌が付着するおそれがある。そこで、放射線検出装置１１を防水性、密閉性を有する構造とし、必要に応じて殺菌洗浄することにより、１つの放射線検出装置１１を繰り返し続けて使用することができる。
【００６４】
また、放射線検出装置１１と外部機器であるコンソール２０との間での無線通信は、通常の電波による通信に代えて、赤外線等を用いた光無線通信で行うようにしてもよい。
【図面の簡単な説明】
【００６５】
【図１】この実施形態に放射線検出装置を備える放射線画像撮影システムの構成ブロック図である。
【図２】放射線検出装置の斜視図である。
【図３】図２に示す放射線検出装置のＩＩＩ−ＩＩＩ線一部省略断面図である。
【図４】他の実施形態に係る放射線検出装置の一部省略断面図である。
【図５】放射線検出装置の実体配線構成図である。
【図６】放射線検出装置の回路図である。
【符号の説明】
【００６６】
１０…放射線検出回路部                    １１…放射線検出装置
１４…被写体                              ４０…基板
４６…光電変換層                          ５０…画素
６４…ゲート線                            ６６…信号線
６８…ＴＦＴ                              ９０…Ａ／Ｄ変換器
９２…バッテリ                            ９６…画像メモリ
１０２…送受信機
【図１】
2010078551.tif 000003
【図２】
2010078551.tif 000004
【図３】
2010078551.tif 000005
【図４】
2010078551.tif 000006
【図５】
2010078551.tif 000007
【図６】
2010078551.tif 000008